(57)【要約】【課題】防水性能を向上させることができる電力量計の防水構造を得ること。【解決手段】電力量計は、配線を介して電源から負荷へ供給される電力量を計測するための電気部品を収納する内部空間４０が形成された計量部４を有し、背面側が壁面に取り付けられる本体部を備える。計量部４は、上方が開口した箱状のベース１０と、ベース１０の外側に上方から被さることでベース１０と共に内部空間４０を形成する本体カバー２０とを備える。ベース１０と本体カバー２０とが重なる領域８０には、計量部４の背面４ａ側へ向けて水平方向に沿って延伸しベース１０と本体カバー２０とが重なる領域８０に外部から浸入した水を計量部４の背面４ａ側から排出する排水路７０，７１が形成される。【選択図】図６
2019200095.tif 000002
【特許請求の範囲】
【請求項１】
配線を介して電源から負荷へ供給される電力量を計測するための電気部品を収納する内部空間が形成された計量部を有し、背面側が壁面に取り付けられる本体部を備え、
前記計量部は、
上方が開口した箱状のベースと、
前記ベースの外側に上方から被さることで前記ベースと共に前記内部空間を形成する本体カバーと、を備え、
前記ベースと前記本体カバーとが重なる領域には、前記計量部の背面側へ向けて水平方向に沿って延伸し当該領域に外部から浸入した水を前記計量部の背面側から排出する排水路が形成される
ことを特徴とする電力量計。
【請求項２】
前記領域には、
上下方向に隣接して複数の前記排水路が形成される
ことを特徴とする請求項１に記載の電力量計。
【請求項３】
前記ベースは、
前記計量部の背面側へ向けて水平方向に沿って各々延伸し前記本体カバーの内面に当接する第１凸条部と第２凸条部とを前記領域に有しており、
前記第１凸条部と前記第２凸条部とは互いに上下方向に間隔を空けて配置され、
前記領域には、
前記第１凸条部と前記第２凸条部とで区画される空間によって前記排水路が形成される
ことを特徴とする請求項１に記載の電力量計。
【請求項４】
前記ベースには、
前記計量部の背面側へ向けて水平方向に沿って延伸し前記本体カバーの内面に当接する第３凸条部を前記領域に有しており、
前記第３凸条部は、前記第２凸条部と上下方向に間隔を空けて配置され、
前記領域には、
前記第２凸条部と前記第３凸条部とで区画される空間によって前記排水路とは異なる排水路であって外部から浸入した水を前記計量部の背面側から排出する排水路が形成される
ことを特徴とする請求項３に記載の電力量計。
【発明の詳細な説明】
【技術分野】
【０００１】
本発明は、電力量を計測する電力量計に関し、特に電力量計の防水構造に関する。
【背景技術】
【０００２】
電力量計は、風雨にさらされる環境下に設置される場合があるため、一般に防水構造を有している。例えば、特許文献１には、ケースと端子カバーとの間から浸入した水が電力量計の内部へ浸入することを防止するために、内部部品カバーの端部がケースの端部と端子カバーの端部との間に挟み込まれて嵌合される構造が提案されている。
【先行技術文献】
【特許文献】
【０００３】
【特許文献１】特開２００９−３６６６２号公報
【発明の概要】
【発明が解決しようとする課題】
【０００４】
しかしながら、上記特許文献１に記載の技術では、ケースと端子カバーとの間から浸入した水がケースと端子カバーとの間の領域に留まる構造であることから、多量の水にさらされる環境においては電力量計の内部への浸水が生じるおそれがある。
【０００５】
本発明は、上記に鑑みてなされたものであって、防水性能を向上させることができる電力量計を得ることを目的とする。
【課題を解決するための手段】
【０００６】
上述した課題を解決し、目的を達成するために、本発明の電力量計は、配線を介して電源から負荷へ供給される電力量を計測するための電気部品を収納する内部空間が形成された計量部を有し、背面側が壁面に取り付けられる本体部を備える。計量部は、上方が開口した箱状のベースと、ベースの外側に上方から被さることでベースと共に内部空間を形成する本体カバーとを備える。ベースと本体カバーとが重なる領域には、計量部の背面側へ向けて水平方向に沿って延伸しベースと本体カバーとが重なる領域に外部から浸入した水を計量部の背面側から排出する排水路が形成される。
【発明の効果】
【０００７】
本発明によれば、防水性能を向上させることができる、という効果を奏する。
【図面の簡単な説明】
【０００８】
【図１】本発明の実施の形態１にかかる電力量計の外観斜視図
【図２】実施の形態１にかかる電力量計を壁面に取り付けた様子を示す側面図
【図３】実施の形態１にかかる電力量計の本体部の外観斜視図
【図４】実施の形態１にかかる電力量計の計量部の分解斜視図
【図５】実施の形態１にかかる電力量計のベースの外観斜視図
【図６】実施の形態１にかかるベースと本体カバーとが嵌合している状態を示す縦断面図
【図７】図６に示すＡ領域の拡大図
【図８】実施の形態１にかかるベースと本体カバーとの嵌合領域へ浸入した水の排出経路を示す図
【図９】本発明の実施の形態２にかかる電力量計のベースの外観斜視図
【発明を実施するための形態】
【０００９】
以下に、本発明の実施の形態にかかる電力量計を図面に基づいて詳細に説明する。なお、この実施の形態によりこの発明が限定されるものではない。
【００１０】
実施の形態１．
図１は、本発明の実施の形態１にかかる電力量計の外観斜視図であり、図２は、実施の形態１にかかる電力量計を壁面に取り付けた様子を示す側面図である。また、図３は、実施の形態１にかかる電力量計の本体部の外観斜視図であり、図４は、実施の形態１にかかる電力量計の計量部の分解斜視図である。
【００１１】
実施の形態１にかかる電力量計１は、図１に示すように、本体部２と、端子カバー３とを備える。かかる電力量計１は、図２に示すように、本体部２の背面２ａ側が垂直な壁面８に取り付けられる。電力量計１は、例えば、電子式電力量計であるが、電子式電力量計以外の電力量計であってもよい。
【００１２】
電力量計１は、図１および図２における上下方向が鉛直方向になり且つ図１および図２における左右方向および前後方向が水平方向になるように本体部２の背面２ａ側が壁面８に取り付けられる。図１および図２には、説明をわかりやすくするために、電力量計１の上下方向をＺ軸方向とし、電力量計１の左右方向をＸ軸方向とし、電力量計１の前後方向をＹ軸方向とする３次元の直交座標系を示している。かかる直交座標系は、以下の説明で用いる他の図面においても同様に示される。
【００１３】
本体部２は、図３に示すように、図２に示す配線７を介して不図示の電源から不図示の負荷へ供給される電力量を計測する計量部４と、計量部４の下方に位置する端子ブロック５とを備える。計量部４は、上方が開口した箱状のベース１０と、ベース１０の外側に上方から被さることでベース１０と共に内部空間４０を形成する本体カバー２０と、封印キャップ３０とを備える。
【００１４】
端子ブロック５は、計量部４と配線７とを電気的に接続するための複数の端子６が配列された配線作業面を前面側に有している。端子カバー３は、上下方向で本体部２に着脱自在に構成されており、かかる端子カバー３が本体部２に取り付けられることで、端子ブロック５の前面側が図１に示す端子カバー３によって覆われる。
【００１５】
図４に示すように、ベース１０と本体カバー２０とによって形成される内部空間４０には、電力量の計量、記憶、および表示などを行う不図示の電気回路が収納される。かかる電気回路は、複数の電子部品、基板、および電線などの複数の電気部品から構成される。
【００１６】
電力量計１における本体部２の背面２ａ側が屋外の壁面８に取り付けられた場合、電力量計１は風雨にさらされ、電力量計１の外面には水が直接当たる。上述したように、ベース１０と本体カバー２０とで形成される内部空間４０には、上述した複数の電気部品が収納されており、かかる内部空間４０への浸水は、電力量計１の故障などにつながる。
【００１７】
そこで、電力量計１は、図３に示すベース１０と本体カバー２０とが重なる領域８０に防水構造を有している。具体的には、ベース１０と本体カバー２０とが重なる領域８０に、計量部４の背面４ａ側へ向けて水平方向に沿って形成され外部から領域８０に浸入した水を計量部４の背面４ａ側から排出する排水路が形成される。これにより、本体カバー２０と端子カバー３との間からベース１０と本体カバー２０とが重なる領域８０に浸入した水が内部空間４０へ浸入することが防止される。また、本体カバー２０と端子カバー３との間からベース１０と本体カバー２０とが重なる領域８０に浸入した水を計量部４の背面４ａ側から排出することができる。なお、領域８０は、嵌合領域ということもできる。
【００１８】
以下、電力量計１の防水構造について、図４〜図７を参照して具体的に説明する。図５は、実施の形態１にかかる電力量計のベースの外観斜視図であり、図６は、実施の形態１にかかるベースと本体カバーとが嵌合している状態を示す縦断面図であり、図７は、図６に示すＡ領域の拡大図である。
【００１９】
図４に示すように、ベース１０は、上方が開口した箱状のベース本体１１と、ベース本体１１の上部外周から外方へ突出して形成される嵌合部１２とを備える。また、本体カバー２０は、下方が開口した箱状のカバー本体２１と、カバー本体２１の下端から張り出して下方に延伸する嵌合部２２と、図２に示す壁面８に取り付けられる取付部２３とを備える。ベース本体１１および本体カバー２０は、内部空間４０の一部を形成する。嵌合部１２と嵌合部２２とによって上述した領域８０が形成される。
【００２０】
ベース１０の嵌合部１２は、図４から図７に示すように、凸条部５１，５３，５４と、延伸部５２とを備える。凸条部５１は、ベース本体１１の前面１１１、右側面１１２、左側面１１３、および背面１１４から外方に突出し、平面視で環状に形成される。延伸部５２は、凸条部５１の先端下部から下方に延伸しベース本体１１の前面１１１、右側面１１２、左側面１１３、および背面１１４と対向する。凸条部５３，５４は、延伸部５２の外周から外方に各々突出する。凸条部５３は、第１凸条部の一例であり、凸条部５４は、第２凸条部の一例であり、凸条部５１は、第３凸条部の一例である。
【００２１】
延伸部５２には、図４および図５に示すように、本体カバー２０の嵌合部２２の内周から内方に突出する不図示の凸状の被係止部と係合する凹状の係止部５６と、不図示の封印ねじが挿入されるねじ穴５７とが形成される。なお、係止部５６は、延伸部５２の右壁部５２２および左壁部５２３に各々形成されるが、図４および図５では、右壁部５２２に形成される係止部５６は隠れた位置にあるため、図示されていない。
【００２２】
嵌合部２２に形成された不図示の被係止部が係止部５６に係止されることで、ベース１０に本体カバー２０が係止される。これにより、ベース１０と本体カバー２０との係合力を高めることができる。そのため、電気回路および金属部材などが取り付けられた状態のベース１０が重い状態であっても、本体カバー２０を把持して電力量計１を持ち上げた場合にベース１０と本体カバー２０との嵌合が解除されることを防止することができる。
【００２３】
また、嵌合部２２には、図４に示すように不図示の封印ねじが挿入されるねじ穴６３が形成される。本体カバー２０の嵌合部２２は、嵌合部２２のねじ穴６３と嵌合部１２のねじ穴５７とを介して不図示の封印ねじが挿入されてベース１０の嵌合部１２にねじ止めされる。そして、図３に示すように封印ねじを覆う封印キャップ３０が本体カバー２０に取り付けられる。
【００２４】
このように、電力量計１は、封印キャップ３０を破壊して封印ねじを取り外さない限り、ベース１０から本体カバー２０を取り外すことが難しい構造になっており、これにより、電力量計１のハードウェアまたはソフトウェアの不当改造を防止することができる。なお、電力量計１は、端子カバー３が外されたことを検知する構成も有している。
【００２５】
凸条部５１は、カバー本体２１の外周を水平方向に沿って延伸し、凸条部５３，５４は、延伸部５２の外周を水平方向に沿って各々延伸している。凸条部５１，５３，５４は、上下方向に互いに間隔を空けて配置される。凸条部５４は、凸条部５３の上方に配置され、凸条部５１は、凸条部５４の上方に配置される。
【００２６】
凸条部５１は、ベース本体１１の前面１１１および背面１１４から各々突出し左右方向に延伸する凸条部５１１，５１４と、ベース本体１１の右側面１１２および左側面１１３から各々突出し前後方向に延伸する凸条部５１２，５１３とを有する。凸条部５１１は、凸条部５１２および凸条部５１３の前端に連続し、凸条部５１４は、凸条部５１２および凸条部５１３の後端に連続している。このように、凸条部５１は、ベース本体１１の外周の全域に渡って環状に形成される。
【００２７】
凸条部５３は、延伸部５２の前壁部５２１から前方へ突出し左右方向に延伸する凸条部５３１と、延伸部５２の右壁部５２２から右方へ突出し前後方向に延伸する凸条部５３２と、延伸部５２の左壁部５２３から左方へ突出し前後方向に延伸する凸条部５３３と、延伸部５２の後壁部５２４から後方へ突出する凸条部５３４，５３５とを有する。凸条部５３２と凸条部５３３とは、左右の係止部５６によって一部が非連続な状態になっている。また、図５に示すように、凸条部５３４と凸条部５３５とは互いに間隔を空けて配置される。
【００２８】
同様に、凸条部５４は、延伸部５２の前壁部５２１から前方へ突出し左右方向に延伸する凸条部５４１と、延伸部５２の右壁部５２２から右方へ突出し前後方向に延伸する凸条部５４２と、延伸部５２の左壁部５２３から左方へ突出し前後方向に延伸する凸条部５４３と、延伸部５２の後壁部５２４から後方へ突出する凸条部５４４，５４５とを有する。また、凸条部５４３は、図４に示すように、ねじ穴５７が形成される領域によって一部が非連続な状態になっている。また、図５に示すように、凸条部５４４と凸条部５４５とは互いに間隔を空けて配置される。
【００２９】
カバー本体２１の後部には、図４に示すように、取付部２３が取り付けられる。取付部２３は、図２に示す壁面８に当接する取付面を有する板状部２３１と、板状部２３１とカバー本体２１との間に形成され、板状部２３１を支持する支持部２３２とを備える。板状部２３１には、不図示のねじまたはボルトが挿入される取付穴２３１ａが形成されており、ねじまたはボルトによって取付部２３が壁面８に固定される。これにより、計量部４の背面４ａ側が壁面８に取り付けられる。
【００３０】
嵌合部２２は、図６に示すように、カバー本体２１の下端に上端が連続し、外方に延伸した後に下方へ向けて屈曲する屈曲部６１と、屈曲部６１の下端に連続し、下方へ向けて延伸する延伸部６２とを備える。延伸部６２は、下方に向かうほど外方へ向かう方向へ延伸している。
【００３１】
図７に示すように、ベース１０の嵌合部１２と本体カバー２０の嵌合部２２とが嵌合している状態において、嵌合部２２の内面２２ａには、凸条部５１，５３，５４が当接している。
【００３２】
凸条部５１の凸条部５１１，５１２，５１３，５１４が嵌合部２２の内面２２ａのうち屈曲部６１の内面に各々当接する。具体的には、凸条部５１の凸条部５１１，５１２，５１３，５１４は、屈曲部６１の内面のうち水平方向で対向する領域と鉛直方向で対向する領域とに各々当接する。
【００３３】
凸条部５３の凸条部５３１，５３２，５３３，５３４，５３５が嵌合部２２の内面２２ａのうち延伸部６２の内面に水平方向で対向して各々当接する。同様に、凸条部５４の凸条部５４１，５４２，５４３，５４４，５４５が嵌合部２２の内面２２ａのうち延伸部６２の内面に水平方向で対向して各々当接する。
【００３４】
嵌合部２２の内面２２ａと延伸部５２の外面５２ａとの間には、凸条部５３と凸条部５４とによって区画され且つ水平方向に沿って延伸する排水路７０が形成される。さらに、嵌合部２２の内面２２ａと延伸部５２の外面５２ａとの間には、凸条部５１と凸条部５４とによって区画され且つ水平方向に沿って延伸する排水路７１が形成される。
【００３５】
図６に示すように、ベース本体１１の背面１１４と嵌合部２２の内面２２ａの間に、凸条部５１４と凸条部５５とによって区画される排出空間９０が形成され、上述した排水路７０，７１の端部が排出空間９０に接続される。
【００３６】
電力量計１が雨風にさらされた場合、計量部４の外面に当たった水は計量部４の外面を伝って下方へ流れていく。しかし、電力量計１が多量の水にさらされると、本体カバー２０と端子カバー３との間からベース１０と本体カバー２０とが重なる領域８０へ毛細管現象により一部の水が浸入することがある。領域８０は、図６および図７に示すように、嵌合部１２と嵌合部２２とによって形成される。
【００３７】
図８は、実施の形態１にかかるベースと本体カバーとの嵌合領域へ浸入した水の排出経路を示す図である。図８に示すように、凸条部５３は、係止部５６によって一部が非連続な状態になっている。そのため、凸条部５３のうち係止部５６によって非連続となっている領域からベース１０と本体カバー２０とが重なる領域８０へ水が浸入することがある。領域８０へ浸入した水は、図８に示すように、排水路７０および排出空間９０を伝って計量部４の背面４ａ側に形成された排出口７３，７４から壁面８へ排出される。
【００３８】
また、上述したように、排水路７０の上方には排水路７１が形成されている。そのため、排水路７０が係止部５６から浸入した水で満たされた場合であっても、毛細管現象により係止部５６から浸入した水の内部空間４０内への這い上がりを排水路７１で遮断することができる。毛細管現象により排水路７１へ浸入した水は、図８に示すように、排水路７１および排出空間９０を伝って計量部４の背面４ａ側に形成された排出口７３，７４から壁面８へ排出される。
【００３９】
また、本体カバー２０のねじ穴６３と凸条部５１との間には排水路７１が介在する。そのため、本体カバー２０のねじ穴６３からベース１０と本体カバー２０とが重なる領域８０へ毛細管現象により水が浸入した場合であっても、領域８０に浸入した水は、排水路７１および排出空間９０を伝って計量部４の背面４ａ側に形成された排出口７３，７４から壁面８へ排出される。
【００４０】
なお、上述した例では、係止部５６によって凸条部５３に非連続な領域が存在するが、上述した位置に係止部５６を設けずに凸条部５３に非連続な領域を設けない構成でもよい。この場合であっても、凸条部５３と嵌合部２２の内面２２ａとの間から毛細管現象により排水路７１へ浸入した水は、排水路７１および排出空間９０を伝って計量部４の背面４ａ側に形成された排出口７３，７４から壁面８へ排出される。
【００４１】
また、ねじ穴６３の位置は、封印キャップ３０の位置および形状によって決定されるが、封印キャップ３０の位置および形状は上述した例に限定されない。例えば、ねじ穴６３は、凸条部５３と凸条部５４との間に形成されてもよく、また、凸条部５３の下方に形成されてもよい。この場合であっても、毛細管現象によりねじ穴６３からベース１０と本体カバー２０とが重なる領域８０へ浸入した水を計量部４の背面４ａ側に形成された排出口７３，７４から壁面８へ排出することができる。
【００４２】
また、上述したように、凸条部５１は、嵌合部２２の内面２２ａに当接される。凸条部５１は、ベース本体１１の外面の水平方向における全周に渡って形成されている。そのため、凸条部５１は、嵌合部２２の内面２２ａの水平方向における全周に渡って当接される。これにより、内部空間４０への水の浸入を防止する防水機能に加え、塵埃の浸入を防止する防塵機能が確保される。
【００４３】
図５に示すように、ベース本体１１の背面１１４側には、水平方向に沿って延伸する凸条部５５が形成されており、かかる凸条部５５は、嵌合部２２の内面２２ａに当接される。かかる凸条部５５には、上述した排出口７３，７４が形成されている。そのため、排出口７３，７４から塵、埃および虫といった異物が侵入する場合があるが、上述したように、凸条部５１は、嵌合部２２の内面２２ａの水平方向における全周に渡って当接されるため、内部空間４０への異物の浸入を防止することができる。
【００４４】
なお、嵌合部２２は下方に向かうほど延伸部５２の外面５２ａから離れる方向に傾斜しているため、嵌合部２２の内面２２ａと延伸部５２の外面５２ａとの間隔が下方に向かうほど大きくなる。そのため、延伸部５２の外面５２ａが嵌合部２２の内面２２ａから離れる方向に傾斜していない場合に比べ、排水路７０の空間の体積を増加させることができ、ベース１０と本体カバー２０とが重なる領域８０へ浸入した水を計量部４の背面４ａ側から排出させる機能を向上させることができる。
【００４５】
また、上述した例では、凸条部５１、凸条部５３、および凸条部５４が嵌合部１２に形成されるが、凸条部５１、凸条部５３、および凸条部５４のうち一つ以上は、嵌合部２２の内面２２ａから突出する構成であってもよい。この場合、嵌合部１２の外面には、凸条部５１、凸条部５３、および凸条部５４のうち一つ以上と当接する当接面が形成される。
【００４６】
また、上述した例では、領域８０に２つの排水路７０，７１が形成されるが、領域８０に形成される排水路の数は、３つ以上であってもよい。この場合、前後方向および左右方向に沿って延伸する凸条部の数は、４つ以上設けられる。
【００４７】
以上のように、実施の形態１にかかる電力量計１は、配線７を介して電源から負荷へ供給される電力量を計測するための電気部品を収納する内部空間４０が形成された計量部４を有し、背面２ａ側が壁面８に取り付けられる本体部２を備える。計量部４は、上方が開口した箱状のベース１０と、ベース１０の外側に上方から被さることでベース１０と共に内部空間４０を形成する本体カバー２０とを備える。ベース１０と本体カバー２０とが重なる領域８０には、計量部４の背面４ａ側へ向けて水平方向に沿って延伸し領域８０に外部から浸入した水を計量部４の背面４ａ側から排出する排水路７０，７１が形成される。これにより、ベース１０と本体カバー２０とが重なる領域８０に浸入した水を計量部４の背面４ａ側から排出することができ、防水性能を向上させることができる。また、パッキンを用いずに防水性能を向上させることができるため、コストを低減することができる。
【００４８】
また、ベース１０と本体カバー２０とが重なる領域８０には、上下方向に隣接して複数の排水路７０，７１が形成される。これにより、排水路７０に水が溜まった場合でも、排水路７１によって内部空間４０への水の浸入を防止することができ、防水性能をさらに向上させることができる。
【００４９】
また、ベース１０は、計量部４の背面４ａ側へ向けて水平方向に沿って各々延伸し本体カバー２０の嵌合部２２の内面２２ａに当接する凸条部５４と凸条部５３とを領域８０に有する。凸条部５４と凸条部５３とは互いに上下方向に間隔を空けて配置される。領域８０には、凸条部５４と凸条部５３とで区画される空間によって排水路７０が形成される。これにより、排水路７０を容易に形成することができる。
【００５０】
また、ベース１０には、計量部４の背面４ａ側へ向けて水平方向に沿って延伸し本体カバー２０の嵌合部２２の内面２２ａに当接する凸条部５１を領域８０に有する。凸条部５１は、凸条部５４と上下方向に間隔を空けて配置される。領域８０には、凸条部５４と凸条部５１とで区画される空間によって排水路７０とは異なる排水路であって外部から浸入した水を計量部４の背面４ａ側から排出する排水路７１が形成される。これにより、排水路７１を容易に形成することができる。
【００５１】
実施の形態２．
実施の形態２にかかる電力量計は、実施の形態１にかかる電力量計１の凸条部５４を設けない点で、実施の形態１にかかる電力量計１と異なる。以下においては、実施の形態１と同様の機能を有する構成要素については同一符号を付して説明を省略し、実施の形態１の電力量計１と異なる点を中心に説明する。
【００５２】
図９は、本発明の実施の形態２にかかる電力量計のベースの外観斜視図である。図９に示すベース１０Ａは、ベース本体１１と、嵌合部１２Ａとを備える。嵌合部１２Ａは、図４に示す凸条部５４が設けられていない点で、嵌合部１２と異なる。
【００５３】
したがって、不図示の嵌合部２２の内面２２ａと延伸部５２の外面５２ａとの間には、凸条部５３と凸条部５１とによって区画され且つ水平方向に沿って延伸する排水路７２が形成される。これにより、例えば、係止部５６によって非連続となっている領域または不図示の本体カバー２０のねじ穴６３から、ベース１０Ａの嵌合部１２Ａと本体カバー２０の嵌合部２２とによって形成される領域８０Ａへ水が浸入した場合であっても、排水路７２を伝って壁面８へ排出される。また、凸条部５１によって、内部空間４０への水の浸入を防止する防水機能に加え、塵埃の浸入を防止する防塵機能が確保される。凸条部５３は、第１凸条部の一例であり、凸条部５１は、第２凸条部の一例である。
【００５４】
以上のように、実施の形態２のベース１０Ａは、計量部４の背面４ａ側へ向けて水平方向に沿って形成され本体カバー２０の嵌合部２２の内面２２ａに当接する凸条部５１，５３が形成される。凸条部５１と凸条部５３とは、互いに上下方向に間隔を空けて形成される。凸条部５１と凸条部５３とで区画される空間によって排水路７２が形成される。これにより、排水路７２を容易に構成することができる。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１  電力量計、２  本体部、２ａ，４ａ，１１４  背面、３  端子カバー、４  計量部、５  端子ブロック、６  端子、７  配線、８  壁面、１０，１０Ａ  ベース、１１  ベース本体、１２，１２Ａ，２２  嵌合部、２０  本体カバー、２１  カバー本体、２２ａ  内面、２３  取付部、３０  封印キャップ、４０  内部空間、５１，５３，５４，５５，５１１，５１２，５１３，５１４，５３１，５３２，５３３，５３４，５３５，５４１，５４２，５４３，５４４，５４５  凸条部、５２，６２  延伸部、５２ａ  外面、５６  係止部、５７，６３  ねじ穴、６１  屈曲部、７０，７１，７２  排水路、７３，７４  排出口、８０  領域、９０  排出空間、１１１  前面、１１２  右側面、１１３  左側面、２３１  板状部、２３１ａ  取付穴、２３２  支持部、５２１  前壁部、５２２  右壁部、５２３  左壁部、５２４  後壁部。
【図１】
2019200095.tif 000003
【図２】
2019200095.tif 000004
【図３】
2019200095.tif 000005
【図４】
2019200095.tif 000006
【図５】
2019200095.tif 000007
【図６】
2019200095.tif 000008
【図７】
2019200095.tif 000009
【図８】
2019200095.tif 000010
【図９】
2019200095.tif 000011